(57)【要約】  【課題】  設置面が凹凸面であったとしても傾斜した状態となる恐れがなく、床材を水平状態として確実に支持することが可能な二重床用支持脚を提供する。  【解決手段】  本発明にかかる二重床用支持脚１は、床材２１を支持する床支持部材１２と、該床支持部材１２を高さ調整可能に支持する支柱部材１３と、該支柱部材１３が立設された台座部材２とを具備しており、該台座部材２が設置面２２に接着して固定されるものであって、前記台座部材２には貫通孔３を形成しており、かつ、これら貫通孔３の周縁には前記台座部材２から前記設置面２２に向かって突出した凸部４を設けていることを特徴とする。  【選択図】    図１
2005036539.tif 000002
【特許請求の範囲】
【請求項１】
床材を支持する床支持部材と、該床支持部材を高さ調整可能に支持する支柱部材と、該支柱部材が立設された台座部材とを具備しており、該台座部材が設置面に接着して固定される構成の二重床用支持脚であって、
前記台座部材には貫通孔を形成しており、かつ、これら貫通孔の周縁には前記台座部材から前記設置面に向かって突出した凸部を設けていることを特徴とする二重床用支持脚。
【請求項２】
前記貫通孔は少なくとも３つ形成されていることを特徴とする請求項１に記載の二重床用支持脚。
【請求項３】
前記貫通孔は前記台座部材の上側から下側へ向かう孔明け加工によって形成されており、前記凸部は孔明け加工に伴って生じたカエリであることを特徴とする請求項１または請求項２に記載の二重床用支持脚。
【発明の詳細な説明】
【技術分野】
【０００１】
本発明は二重床用支持脚にかかり、特には、その台座部材の構造に関するものである。
【背景技術】
【０００２】
従来から、ビル等の建築物においては、コンクリート等からなる設置面、いわゆるスラブ面の上方に所定の間隔をあけてベースパネル等のような床下地材を敷設し、この床下地材上にフローリングパネル等のような仕上げ材を敷設する二重床構造が採用されている。そして、この種の二重床構造では、図２で示すような構成を有する二重床用支持脚１１が使用されるのが一般的である。
【０００３】
この二重床用支持脚１１は、床下地材２１を支持する床支持部材１２と、この床支持部材１２を高さ調整可能に支持する支柱部材１３と、この支柱部材１３が立設された台座部材１４とを具備しており、台座部材１４は設置面２２に対して接着されたうえで固定される。なお、図２中の符号１５は雌ネジ管、１６は連結部材であり、この連結部材１６を介して床支持部材１２と一体化された雌ネジ管１５は、外周面に雄ネジが形成された支柱部材１３と螺合しあっている。
【０００４】
さらに、二重床用支持脚の他の具体例としては、特許文献１及び特許文献２で開示されたようなものがあり、これらは既に周知となっている。
【特許文献１】実開平３−１５９４７号公報
【特許文献２】特開平５−１５６７９３号公報
【発明の開示】
【発明が解決しようとする課題】
【０００５】
前記従来の形態にかかる二重床用支持脚１１においては、つぎのような不都合が生じることになっていた。すなわち、二重床用支持脚１１の台座部材１４が接着して固定される設置面２２はコンクリートの打ち放し面である場合が多く、このような設置面２２である場合には、その表面に砂利等が露出しており、設置面２２自体が凹凸面となっていることが多い。
【０００６】
しかしながら、凹凸面である設置面２２に二重床用支持脚１１の台座部材１４を載置した際にあっては、図２で示すように、二重床用支持脚１１が傾斜した状態となることが起こる。そして、二重床用支持脚１１が傾斜した状態になっていると、床支持部材１２で支持される床下地材２１までもが傾斜することになり、これら床下地材２１の水平状態を維持しながら支持することができなくなる。
【０００７】
ところで、特許文献２の二重床用支持脚には、これが具備する台座部材の底面に対し、ゴム等のような弾性体からなる多数個の凸部を設けた構成が開示されている。しかし、このような構成を採用するのでは、多数個の凸部をわざわざ台座部材の底面に設ける必要があるため、多大な手間を要することが避けられない。
【０００８】
本発明はこのような不都合に鑑みて創案されたものであり、設置面が凹凸面であったとしても傾斜した状態となる恐れがなく、床材の水平状態を維持しながら確実に支持することが可能な二重床用支持脚の提供を目的としている。
【課題を解決するための手段】
【０００９】
本発明にかかる二重床用支持脚は、床材を支持する床支持部材と、該床支持部材を高さ調整可能に支持する支柱部材と、該支柱部材が立設された台座部材とを具備しており、該台座部材が設置面に接着して固定される構成を有している。そして、この二重床用支持脚が具備する前記台座部材には貫通孔を形成しており、かつ、これら貫通孔の周縁には前記台座部材から前記設置面に向かって突出した凸部を設けていることを特徴とする。
【００１０】
このとき、前記貫通孔は少なくとも３つ形成されていることが好ましい。また、前記貫通孔は前記台座部材の上側から下側へ向かう孔明け加工によって形成されており、前記凸部は孔明け加工に伴って生じたカエリであることが好ましい。
【発明の効果】
【００１１】
本発明の請求項１にかかる二重床用支持脚では、床支持部材を支持する支柱部材が立設された台座部材に貫通孔を形成するとともに、台座部材から設置面へ向かって突出する凸部を貫通孔の周縁に設けている。そこで、この二重床用支持脚であれば、設置面が凹凸面であったとしても、台座部材の底面側に設けられた凸部が設置面の凸部分等に当接しない位置を選択して二重床用支持脚を設置面上に載置することが可能となる。
【００１２】
そのため、二重床用支持脚が傾斜した状態となる恐れはなくなり、床支持部材でもって支持される床材が傾斜することも起こらない。従って、この二重床用支持脚床材を使用することにより、床材の水平状態を維持しながら確実に支持することができるという効果が得られる。
【００１３】
また、本発明の請求項２にかかる二重床用支持脚では、その台座部材に少なくとも３つの貫通孔を形成しているので、二重床用支持脚の平面的なバランスを良好とすることが可能になるという利点が確保される。
【００１４】
さらに、本発明の請求項３に記載の発明にかかる二重床用支持脚においては、貫通孔が台座部材の上側から下側へ向かう孔明け加工によって形成されたものであり、凸部が孔明け加工に伴って生じたカエリであるとしている。従って、各貫通孔の周縁に対してわざわざ別体の凸部を設ける必要はなくなり、二重床用支持脚を水平状態とするための凸部を設けることが容易になるという利点が確保される。
【発明を実施するための最良の形態】
【００１５】
以下、この発明を実施するための最良の形態について、図面を参照しながら詳細に説明する。
【００１６】
図１は本実施の形態にかかる二重床用支持脚を簡略化して示す説明図であり、図１における符号１は二重床用支持脚である。なお、本実施の形態にかかる二重床用支持脚１において、従来の形態にかかる二重床用支持脚１１と互いに同一となる部品、部分には同一符号を付している。
【００１７】
本実施の形態にかかる二重床用支持脚１はビル等の建築物における二重床構造を構成する際に使用されるものであり、図１で示すように、ベースパネル等の床下地材２１を支持する床支持部材１２と、この床支持部材１２を高さ調整可能に支持する支柱部材１３と、この支柱部材１３が立設されてベースプレートといわれる台座部材２とを具備している。そして、この二重床用支持脚１は、台座部材２がコンクリート等からなる設置面２２、いわゆるスラブ面に対し、接着剤（図示省略）を用いて接着されるのに伴って固定される構成となっている。
【００１８】
また、ここでの床支持部材１２はその下側に雌ネジ管１５が配設されたものである一方、支柱部材１３はその外周面に雄ネジが形成されたものであり、この支柱部材１３と床支持部材１２に配設された雌ネジ管１５とが互いに螺合しあうのに伴って床支持部材１２は昇降動作しながら高さ調整される構成となっている。なお、図中の符号１６は連結部材であり、床支持部材１２及び雌ネジ管１５は連結部材１６を介して互いに連結されている。
【００１９】
さらに、二重床用支持脚１が具備している平板形状の台座部材２には、貫通孔３が形成されている。そして、これら貫通孔３の周縁それぞれには、台座部材２の下面（底面）から設置面２２に向かって突出する凸部４が設けられている。なお、二重床用支持脚１の平面的なバランスを良好とするため、台座部材２には少なくとも３つの貫通孔３が形成されていることが好ましく、これらの貫通孔３同士は互いに等分された位置ごとに配置されていることが好ましい。
【００２０】
また、この際における貫通孔３のそれぞれは台座部材２の上側から下側へと向かう孔明け加工、例えば、ドリル等を用いた孔明け加工によって形成されたものであり、この種の孔明け加工に伴っては、ドリル等が貫通した台座部材２の下面側、つまり、底面側における各貫通孔３の周囲に沿ってカエリが発生する。すなわち、この二重床用支持脚１にあっては、各貫通孔３の周縁に対してわざわざ別体の凸部を設けなくても、孔明け加工に伴って凸部４となるカエリ、いわゆるバリが必然的に生じる。
【００２１】
そして、このような構成とされた二重床用支持脚１である場合には、設置面２２が凹凸面であったとしても、台座部材２の底面側に生じた凸部４であるカエリが設置面２２の凸部分等に当接しない位置を選択したうえで二重床用支持脚１を設置面２２上に載置することが可能となる。そのため、二重床用支持脚１が傾斜した状態となることはなくなり、床支持部材１２でもって支持される床下地材２１が傾斜することも起こらない。
【００２２】
なお、二重床用支持脚１が具備している台座部材２と設置面２２との間には接着剤（図示省略）が注入されることになり、この台座部材２は設置面２２、いわゆるスラブ面に接着して固定される。ところで、本実施の形態にかかる二重床用支持脚１においては、床支持部材１２によって支持された床下地材２１上にフローリングパネル等のような仕上げ材が敷設されることを前提としているが、このような構成に限定されることはないのであり、例えば、床支持部材１２によって仕上げ材が直接的に支持される構成であってもよいことは勿論である。
【図面の簡単な説明】
【００２３】
【図１】本実施の形態にかかる二重床用支持脚を簡略化して示す説明図である。
【図２】従来の形態にかかる二重床用支持脚を簡略化して示す説明図である。
【符号の説明】
【００２４】
１    二重床用支持脚
２    台座部材
３    貫通孔
４    凸部
１２    床支持部材
１３    支柱部材
２１    床下地材（床材）
２２    設置面
【図１】
2005036539.tif 000003
【図２】
2005036539.tif 000004